(57)【特許請求の範囲】
【請求項１】
公衆通信網に接続可能な通信部と、
選択可能な複数の項目を表示する表示部と、
前記複数の項目のうちのいずれか一つに対する決定を指示する第１のキー、数字及び文字が対応付けられた第２のキーを含むキー操作部と、
前記複数の項目に含まれている、相手先に対して通話を指定するための第１の項目と、前記相手先に対してメッセージの送信を指定するための第２の項目との双方が前記表示部に表示されている際、前記第１の項目が選択された状態で前記第１のキーが操作された場合には前記通信部による発呼指示を行うための画面を前記表示部に表示させ、前記第２の項目が選択された状態で前記第１のキーが操作された場合には前記通信部により送信するメッセージに関する画面を前記表示部に表示させる制御部と、を備え、
前記キー操作部は、前記相手先に関する情報が予め対応付けられた第３のキーをさらに含み、
前記制御部は、
前記第１の項目が選択された状態で前記第２のキーが操作された場合には前記相手先の電話番号に対して前記第２のキーに対応付けられた数字を付加した数字列を、前記発呼指示を行うための画面に表示させ、
前記第２の項目が選択された状態で前記第２のキーが操作された場合には前記メッセージに対する入力として前記第２のキーに対応付けられた文字を入力した画面を、前記送信するメッセージに関する画面に表示させ、
発呼指示又は各種アプリケーションの起動を待ち受ける待受画面が前記表示部に表示された状態で前記第３のキーが操作された場合には対応付けられている前記相手先に関する情報に付随して、前記第１の項目及び前記第２の項目との双方を前記表示部に表示させ、
前記第２の項目が選択された状態で前記第２のキーが操作された場合には前記第２のキーに対応付けられた文字を、前記相手先に関する情報が送信先に指定されているメッセージの本文又は件名に対して入力した画面を前記表示部に表示させる
携帯端末装置。
【請求項２】
公衆通信網に接続可能な通信部と、
選択可能な複数の項目を表示する表示部と、
前記複数の項目のうちのいずれか一つに対する決定を指示する第１のキー、数字及び文字が対応付けられた第２のキーを含むキー操作部と、
前記複数の項目に含まれている、相手先に対して通話を指定するための第１の項目と、前記相手先に対してメッセージの送信を指定するための第２の項目との双方が前記表示部に表示されている際、前記第１の項目が選択された状態で前記第１のキーが操作された場合には前記通信部による発呼指示を行うための画面を前記表示部に表示させ、前記第２の項目が選択された状態で前記第１のキーが操作された場合には前記通信部により送信するメッセージを作成する画面を前記表示部に表示させる制御部と、を備え、
前記制御部は、
前記第１の項目が選択された状態で前記第２のキーが操作された場合には前記第２のキーに対応付けられた数字を、前記発呼指示を行うための画面に表示させ、
前記第２の項目が選択された状態で前記第２のキーが操作された場合には前記第２のキーに対応付けられた文字を、前記送信するメッセージを作成する画面に表示させ、
前記第２の項目が選択された状態で前記第２のキーが操作された場合には前記第２のキーに対応付けられた文字を、前記相手先に関する情報が送信先に指定されているメッセージの本文又は件名に対して入力した画面を前記表示部に表示させる
携帯端末装置。
【請求項３】
前記制御部は、前記第１の項目が選択された状態で前記第２のキーが操作された場合に
は、前記相手先の電話番号に対して前記第２のキーに対応付けられた数字を付加した数字列を前記表示部に表示させる請求項２記載の携帯端末装置。
【請求項４】
前記制御部は、前記第２の項目が選択された状態で前記第２のキーが操作された場合には前記メッセージに対して前記第２のキーに対応付けられた文字を入力した画面を前記表示部に表示させる請求項２又は３に記載の携帯端末装置。
【請求項５】
選択可能な複数の項目を表示する表示部と、
前記複数の項目のうちのいずれか一つに対する決定を指示する第１のキー、数字及び文字が対応付けられた第２のキーを含むキー操作部と、
前記複数の項目に含まれている、第１の項目と、前記第１の項目とは異なる第２の項目との双方が前記表示部に表示されている際、前記第１の項目が選択された状態で前記第１のキーが操作された場合には第１の機能を起動し、前記第２の項目が選択された状態で前記第１のキーが操作された場合には第２の機能を起動する制御部と、を備え、
前記制御部は、
前記第１の項目が選択された状態で前記第２のキーが操作された場合には前記第２のキーに対応付けられた数字を、発呼指示を行うための画面に表示させ、
前記第２の項目が選択された状態で前記第２のキーが操作された場合には前記第２のキーに対応付けられた文字を、送信するメッセージを作成する画面に表示させ、
前記第２の項目が選択された状態で前記第２のキーが操作された場合には前記第２のキーに対応付けられた文字を、相手先に関する情報が送信先に指定されているメッセージの本文又は件名に対して入力した画面を前記表示部に表示させる
携帯端末装置。
【発明の詳細な説明】
【技術分野】
【０００１】
本発明は、通話とメッセージの通信を行う機能を有する携帯端末装置に関する。
【背景技術】
【０００２】
携帯電話機は、表示部と複数の操作キーを備えており、操作キーが押下（操作）されると、現在起動されているアプリケーションに応じて、押下された操作キーに割り当てられている文字又は数字を表示部に表示する（例えば、特許文献１を参照。）。
【０００３】
ここで、文字及び数字の双方の入力が可能なアプリケーション（例えば、メールアプリケーション）が起動されており、初期設定で文字入力が選択されている場合には、携帯電話機は、操作キーが押下されると、当該操作キーに割り当てられている文字を表示部に表示する。また、携帯電話機は、文字入力から数字入力への入力切替の操作が行われると、押下された操作キーに割り当てられている数字を表示部に表示する。
【０００４】
このようにして、携帯電話機は、文字及び数字の双方の入力が可能なアプリケーションが起動されているときには、入力切替の操作によって、文字入力又は数字入力を実現していた。
【先行技術文献】
【特許文献】
【０００５】
【特許文献１】特開２００２−２９０５４３号公報
【発明の概要】
【発明が解決しようとする課題】
【０００６】
ところで、携帯電話機は、文字及び数字の双方の入力が可能なアプリケーションが起動されているときに、操作キーの入力によって、ユーザの意思を推定することができれば、入力切替の操作を省略させることができ、操作性の向上を図ることができ、かつ処理負担の軽減を図ることができる。
【０００７】
本発明は、さらなる操作性の向上と処理負担の軽減を一つの目的とする携帯端末装置を提供することを一つの目的とする。
【課題を解決するための手段】
【０００８】
本発明に係る携帯端末装置は、上記課題を解決するために、公衆通信網に接続可能な通信部と、選択可能な複数の項目を表示する表示部と、前記複数の項目のうちのいずれか一つに対する決定を指示する第１のキー、数字及び文字が対応付けられた第２のキーを含むキー操作部と、前記複数の項目に含まれている、相手先に対して通話を指定するための第１の項目と、前記相手先に対してメッセージの送信を指定するための第２の項目との双方が前記表示部に表示されている際、前記第１の項目が選択された状態で前記第１のキーが操作された場合には前記通信部による発呼指示を行うための画面を前記表示部に表示させ、前記第２の項目が選択された状態で前記第１のキーが操作された場合には前記通信部により送信するメッセージに関する画面を前記表示部に表示させる制御部と、を備え、前記制御部は、前記第１の項目が選択された状態で前記第２のキーが操作された場合には前記相手先の電話番号に対して前記第２のキーに対応付けられた数字を付加した数字列を前記表示部に表示させ、前記第２の項目が選択された状態で前記第２のキーが操作された場合には前記メッセージに対する入力として前記第２のキーに対応付けられた文字を入力した画面を前記表示部に表示させる構成である。
【０００９】
また、携帯電話装置では、前記キー操作部は、前記相手先に関する情報が予め対応付けられた第３のキーをさらに含み、前記制御部は、発呼指示又は各種アプリケーションの起動を待ち受ける待受画面が前記表示部に表示された状態で前記第３のキーが操作された場合には対応付けられている前記相手先に関する情報に付随して、前記第１の項目及び前記第２の項目との双方を前記表示部に表示させる構成が好ましい。
【００１０】
また、携帯電話装置では、前記制御部は、前記第２の項目が選択された状態で前記第２のキーが操作された場合には前記第２のキーに対応付けられた文字を、前記相手先に関する情報が送信先に指定されているメッセージの本文又は件名に対して入力した画面を前記表示部に表示させる構成が好ましい。
【００１１】
また、本発明に係る携帯端末装置は、上記課題を解決するために、公衆通信網に接続可能な通信部と、選択可能な複数の項目を表示する表示部と、前記複数の項目のうちのいずれか一つに対する決定を指示する第１のキー、数字及び文字が対応付けられた第２のキーを含むキー操作部と、前記複数の項目に含まれている、通話を指定するための第１の項目と、メッセージの送信を指定するための第２の項目との双方が前記表示部に表示されている際、前記第１の項目が選択された状態で前記第１のキーが操作された場合には前記通信部による発呼指示を行うための画面を前記表示部に表示させ、前記第２の項目が選択された状態で前記第１のキーが操作された場合には前記通信部により送信するメッセージを作成する画面を前記表示部に表示させる制御部と、を備え、前記制御部は、前記第１の項目が選択された状態で前記第２のキーが操作された場合には前記第２のキーに対応付けられた数字を前記表示部に表示させ、前記第２の項目が選択された状態で前記第２のキーが操作された場合には前記第２のキーに対応付けられた文字を前記表示部に表示させる構成である。
【００１２】
また、携帯電話装置では、前記第１の項目は、相手先に対して通話を指定するための項目であり、前記制御部は、前記第１の項目が選択された状態で前記第２のキーが操作された場合には、前記相手先の電話番号に対して前記第２のキーに対応付けられた数字を付加した数字列を前記表示部に表示させる構成が好ましい。
【００１３】
また、携帯電話装置では、前記第２の項目は、相手先に対してメッセージの送信を指定するための項目であり、前記制御部は、前記第２の項目が選択された状態で前記第２のキーが操作された場合には前記メッセージに対して前記第２のキーに対応付けられた文字を入力した画面を前記表示部に表示させる構成が好ましい。
【００１４】
また、本発明に係る携帯端末装置は、上記課題を解決するために、選択可能な複数の項目を表示する表示部と、前記複数の項目のうちのいずれか一つに対する決定を指示する第１のキー、数字及び文字が対応付けられた第２のキーを含むキー操作部と、前記複数の項目に含まれている、第１の項目と、前記第１の項目とは異なる第２の項目との双方が前記表示部に表示されている際、前記第１の項目が選択された状態で前記第１のキーが操作された場合には第１の機能を起動し、前記第２の項目が選択された状態で前記第１のキーが操作された場合には第２の機能を起動する制御部と、を備え、前記制御部は、前記第１の項目が選択された状態で前記第２のキーが操作された場合には前記第２のキーに対応付けられた数字を前記表示部に表示させ、前記第２の項目が選択された状態で前記第２のキーが操作された場合には前記第２のキーに対応付けられた文字を前記表示部に表示させる構成である。
【発明の効果】
【００１５】
本発明によれば、操作性の向上と処理負担の軽減を図ることができる。
【図面の簡単な説明】
【００１６】
【図１】携帯電話装置の外観斜視図である。
【図２】携帯電話装置の機能を示す機能ブロック図である。
【図３】アドレス帳の一例を示す図である。
【図４】登録テーブルの一例を示す図である。
【図５】画面遷移を模式的に示す図である。
【図６】制御部の動作についての説明に供するフローチャートである。
【発明を実施するための形態】
【００１７】
以下、本発明の実施の形態について説明する。図１は、本発明に係る携帯端末装置の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でも良い。
【００１８】
携帯電話装置１は、操作部側筐体部２と、表示部側筐体部３を備えて構成される。操作部側筐体部２は、表面部１０に、操作部１１と、携帯電話装置１の使用者が通話時に発した音声が入力されるマイク１２を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５から構成されている。
【００１９】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、選択キー２５を備えて構成されている。選択キー２５には、アドレス帳に登録されている相手先の中から選択した複数（本実施例では、キー２５ａ、２５ｂ、２５ｃの３人分）の相手先を登録することができる。なお、選択キー２５に対する登録処理については後述する。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２１】
また、図２は、携帯電話装置１の機能を示す機能ブロック図である。携帯電話装置１は、図２に示すように、操作部１１と、マイク１２と、メインアンテナ４０と、ＲＦ回路部４１と、ＬＣＤ制御部４２と、音声処理部４３と、メモリ４４と、制御部４５が操作部側筐体部２に備えられ、ＬＣＤ表示部２１（表示部）と、スピーカ２２と、ドライバＩＣ２３と、選択キー２５と、サブＬＣＤ表示部３０が表示部側筐体部３に備えられている。
【００２２】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００２３】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知する。また、メインアンテナ４０とＲＦ回路部４１を総括して、通信部５０という。
【００２４】
ＬＣＤ制御部４２は、制御部４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２５】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２６】
メモリ４４は、例えば、ワーキングメモリを含み、制御部４５による演算処理に利用される。また、メモリ４４には、複数のアプリケーションや当該アプリケーションが必要とする各種のテーブル等（例えば、後述するアドレス帳や登録テーブル）が記憶されている。また、メモリ４４は、着脱可能な外部メモリを兼ねていても良い。
【００２７】
制御部４５は、携帯電話装置１の全体を制御しており、中央処理装置（ＣＰＵ）等を用いて構成される。
ここで、選択キー２５に対する登録処理について説明する。制御部４５は、所定の登録画面において、ユーザの操作に応じてアドレス帳を参照し（図３を参照。）、ユーザにより選択された相手先を各キー２５ａ、２５ｂ、２５ｃに対して割り当てを行う。具体的には、制御部４５は、アドレス帳に登録されている相手先の固有のＩＤ番号と各キー２５ａ、２５ｂ、２５ｃを関連付けたテーブル（登録テーブル）を作成する（図４を参照。）。なお、図４では、キー２５ａには、ＩＤ番号「０００１」のＡ氏が関連付けられ、キー２５ｂには、ＩＤ番号「０００２」のＢ氏が関連付けられ、キー２５ｃには、ＩＤ番号「０００３」のＣ氏が関連付けられている例を示している。
【００２８】
このような状態において、制御部４５は、例えば、キー２５ａが押下された場合、登録テーブルを参照してキー２５ａに登録されているＩＤ番号を選択し、選択したＩＤ番号に基づいて、アドレス帳を参照して相手先（Ａ氏）の情報（電話番号やＥ−ｍａｉｌアドレス等）を抽出する。携帯電話装置１は、抽出したＡ氏の情報をＬＣＤ表示部２１に表示する（後述する図５（ｂ）を参照。）。このようにして、携帯電話装置１は、選択キー２５に登録されている特定の相手先に対しては、アドレス帳を参照する操作と、その中から一の相手先を選択する操作を簡略化することができる。
【００２９】
このように構成される携帯電話装置１では、文字及び数字の双方の入力が可能な状態において、操作部１１の入力にしたがって、ユーザの意思を推定し、文字入力と数字入力の入力切替の操作を省略することにより、操作性の向上と処理負担の軽減を図る機能を有している。
【００３０】
ここで、上述した機能を発揮するための制御部４５の動作について詳細に説明する。携帯電話装置１は、上述したように、ＬＣＤ表示部２１と、操作部１１（キー操作部）と、制御部４５を備える。
ＬＣＤ表示部２１には、選択可能な複数の項目が表示される。
操作部１１は、ＬＣＤ表示部２１に表示されている複数の項目のうちのいずれか一つに対する決定を指示する決定操作キー１５（第１のキー）と、数字及び文字が対応付けられた入力操作キー１４（第２のキー）を含んで構成されている。
ここで、複数の項目とは、相手先に対して通話を指定する第１の項目と、相手先に対してメッセージの送信を指定する第２の項目とを示している。
【００３１】
また、上述したように、携帯電話装置１は、相手先に関する情報が予め対応付けられた選択キー２５（第３のキー）を備えている。なお、操作部１１は、ユーザにより操作されるキーとして、選択キー２５を含めた総括的な概念であっても良い。
【００３２】
制御部４５は、発呼指示又は各種アプリケーションの起動を待ち受ける待受画面（壁紙）がＬＣＤ表示部２１に表示された状態において（図５（ａ）を参照。）、選択キー２５が操作されると、対応付けられている相手先に関する情報に付随して、第１の項目及び第２の項目との双方をＬＣＤ表示部２１に表示させる（図５（ｂ）を参照）。なお、図５（ｂ）は、ペア機能画面と呼ばれる画面形態である。
【００３３】
ここで、上述の図４に示すような登録テーブルが作成されている場合には、制御部４５は、ユーザによって選択キー２５のキー２５ａが押圧された場合には、登録テーブルを参照してキー２５ａに登録されているＩＤ番号を選択する。制御部４５は、選択したＩＤ番号に基づいて、アドレス帳を参照して相手先（Ａ氏）の情報（電話番号やＥ−ｍａｉｌアドレス等）を抽出する。制御部４５は、抽出したＡ氏の名前と、電話番号と、Ｅ−ｍａｉｌアドレスをＬＣＤ表示部２１に表示する（図５（ｂ）を参照。）。
【００３４】
また、制御部４５は、Ａ氏の名前等が表示されている状態において、第１の項目として「電話をかける」を直感的なシンボルと共に表示し、かつ第２の項目として「Ｅメールを送る」と「ＳＭＳメッセージを送る」をそれぞれ直感的なシンボルと共に表示する。なお、初期設定では、「電話をかける」にカーソルが当たって選択されているものとする。
【００３５】
制御部４５は、第１の項目と第２の項目との双方がＬＣＤ表示部２１に表示されており（図５（ｂ）を参照。）、第１の項目である「電話をかける」が選択された状態、すなわちカーソルが当たっている状態で決定操作キー１５の決定キーが操作された場合には第１の機能を発揮、すなわち通信部５０による発呼指示を行うための画面をＬＣＤ表示部２１に表示させる（図５（ｃ）を参照。）。その後、キャンセルの操作が無ければ、制御部４５は、自動的に発呼する。
【００３６】
また、制御部４５は、第１の項目と第２の項目との双方がＬＣＤ表示部２１に表示されており（図５（ｂ）を参照。）、決定操作キー１５の上下キーが押圧され、第２の項目である「Ｅメールを送る」又は「ＳＭＳメッセージを送る」が選択された状態、すなわち、カーソルが当たっている状態で決定操作キー１５が操作された場合には（図５（ｄ）を参照。）、第２の機能を起動、すなわち通信部５０により送信するメッセージを作成する画面をＬＣＤ表示部２１に表示させる（図５（ｅ）を参照。）。その後、必要項目を選択（入力）して送信操作が行われれば、制御部４５は、対応するアドレスへのメール又はＳＭＳメッセージを送信する。
【００３７】
また、制御部４５は、第１の項目と第２の項目との双方がＬＣＤ表示部２１に表示されており（図５（ｂ）を参照。）、第１の項目である「電話をかける」が選択された状態、すなわち、カーソルが当たっている状態で入力操作キー１４が操作された場合には入力操作キー１４に対応付けられた数字、すなわち、相手先の電話番号に対して第２のキーに対応付けられた数字を付加した数字列をＬＣＤ表示部２１に表示させる（図５（ｆ）を参照。）。なお、図５（ｆ）は、Ａ氏の電話番号「０８０１２３４５６７８」の先頭に数字を入力するためのカーソルが点滅表示されている例を示しており、入力操作キー１４の操作に応じて所定の数字列がＡ氏の電話番号「０８０１２３４５６７８」の前方に入力される例を示している。
【００３８】
例えば、制御部４５は、「電話をかける」が選択された状態で入力操作キー１４の「１」が割り当てられているキーが押下された場合には、発信先にはＡ氏の名前を表示し、Ａ氏の電話番号の先頭に数字の「１」を入力する（図５（ｆ）を参照。）。また、ユーザが続けて入力操作キー１４の「８」が割り当てられているキーと「４」が割り当てられているキーを押下した場合には、制御部４５は、Ａ氏の電話番号の先頭に数字の「１８４」を入力する。この状態で、ユーザが発信操作を行った場合には、制御部４５は、「１８４０８０１２３４５６７８」を電話番号として通信部５０を介して発信処理を行う。すなわち、「番号非通知の接頭番号」が付与された上での発呼となる。よって、Ａ氏の携帯端末には、発信者番号が非通知で表示されることになる。
【００３９】
また、制御部４５は、第１の項目と第２の項目との双方がＬＣＤ表示部２１に表示されており（図５（ｂ）を参照。）、決定操作キー１５の上下キーが押圧され、第２の項目である「Ｅメールを送る」又は「ＳＭＳメッセージを送る」が選択された状態、すなわち、カーソルが当たっている状態で入力操作キー１４が操作された場合には（図５（ｇ）を参照。）、入力操作キー１４に対応付けられた文字、すなわち、メッセージの本文に対する入力として、第２のキーに対応付けられた文字を入力した画面をＬＣＤ表示部２１に表示させる（図５（ｈ）を参照。）。
【００４０】
例えば、制御部４５は、「電話をかける」から「Ｅメールを送る」にカーソルを移動して「Ｅメールを送る」にカーソルが当たっている状態で（図５（ｇ）を参照）、入力操作キー１４の「あ」が割り当てられているキーが押下された場合には、未確定文字の「あ」と「あ」の変換候補（予測変換候補であっても良い）がメッセージの本文に表示される（図５（ｈ）を参照）。
【００４１】
また、ユーザが続けて入力操作キー１４の「あ」を４回押下し、「は」を１回押下し、「や」を３回押下し、「あ」を３回押下し、確定操作を行った場合には、図５（ｉ）に示すように、宛先（Ｔｏ）にＡ氏の名前（実際には、Ａ氏のＥメールアドレスが入力されている）が入力され、本文（Ｔｅｘｔ）に「おはよう」が入力されたメッセージが表示される。
制御部４５は、ユーザにより送信操作が行われると、Ａ氏のＥメールアドレスに通信部５０を介して「おはよう」のメッセージを送信処理する。
【００４２】
すなわち、携帯電話装置１は、通常であれば、待受画面（図５（ａ）を参照。）から、図５（ｂ）→図５（ｄ）→図５（ｅ）の各画面を遷移して、図５（ｅ）の送信メール作成画面の「Ｔｅｘｔ：本文」を選択して本文の入力を行うが、待受画面（図５（ａ）を参照。）から、図５（ｂ）→図５（ｇ）の各画面を遷移して、本文の入力画面（図５（ｈ）を参照。）に遷移して、本文の入力を行うことができ、効率的に本文の入力を行うことができる。また、携帯電話装置１は、ＳＭＳメッセージの場合には、本文に対して、及びＥメールの場合には、本文及び件名のいずれに対してもこの処理を行っても良い。
【００４３】
このようにして、携帯電話装置１は、文字及び数字の双方の入力が可能なアプリケーションが起動されているときに、操作キーの入力によって、ユーザの意思を推定することができ、入力切替の操作を省略させることができ、操作性の向上を図ることができ、かつ処理負担の軽減を図ることができる。
【００４４】
つぎに、制御部４５の動作について図６に示すフローチャートを参照して説明する。なお、以下では、ペア機能画面（図５（ｂ）を参照。）が表示されているものとする。
ステップＳＴ１において、制御部４５は、操作部１１の操作を検出する。決定操作キー１５の上下キーの押圧を検出した場合には、ステップＳＴ２に進み、入力操作キー１４の押圧を検出した場合には、ステップＳＴ３に進み、決定操作キー１５の決定キーの押圧を検出した場合には、ステップＳＴ９に進む。
【００４５】
ステップＳＴ２において、制御部４５は、ペア機能画面において、決定操作キー１５の上下キーの押圧にしたがって、項目を順次スクロール表示（「電話をかける」→「Ｅメールを送る」→「ＳＭＳメッセージを送る」）する。その後、ステップＳＴ１に戻る。
【００４６】
ステップＳＴ３において、制御部４５は、選択されている項目を確認する。選択されている項目が「電話をかける」の場合には、ステップＳＴ４に進む。また、選択されている項目が「Ｅメールを送る」又は「ＳＭＳメッセージを送る」の場合には、ステップＳＴ６に進む。
【００４７】
ステップＳＴ４において、制御部４５は、電話番号入力画面に遷移し、入力操作キー１４の押圧されたキーにしたがって、表示されている電話番号に対して所定の数字列（番号の先頭に「１８４」等）を入力する。
【００４８】
ステップＳＴ５において、制御部４５は、電話の発信画面に遷移し、ユーザによる発信操作によって電話番号に所定の文字列を付加して通信部５０に発信処理を行う。
【００４９】
ステップＳＴ６において、制御部４５は、本文の入力画面に遷移し、入力操作キー１４の押圧されたキーにしたがって、文字列を入力する。
【００５０】
ステップＳＴ７において、制御部４５は、本文の入力が確定した場合（具体的には、ユーザにより本文の入力画面において、「ＯＫ」ボタンが選択された場合）には、送信メール作成画面に遷移する。
【００５１】
ステップＳＴ８において、制御部４５は、ユーザによる送信操作が行われた場合（具体的には、ユーザにより送信メール作成画面において、「送信」ボタンが選択された場合）には、Ａ氏のＥメールアドレス宛に通信部５０を介してメッセージの送信処理を行う。
【００５２】
ステップＳＴ９において、制御部４５は、現在カーソルが当たっている項目にしたがった機能を実行する。
【００５３】
このようにして、携帯電話装置１は、文字及び数字の双方の入力が可能なアプリケーションが起動されているときに、操作キーの入力によって、ユーザの意思を推定することができ、入力切替の操作を省略させることができ、操作性の向上を図ることができ、かつ処理負担の軽減を図ることができる。
【符号の説明】
【００５４】
１  携帯電話装置
１１  操作部（キー操作部）
１４  入力操作キー（第２のキー）
１５  決定操作キー（第１のキー）
２５  選択キー（第３のキー）
４５  制御部
【図１】
0005461249.tif 000002
【図２】
0005461249.tif 000003
【図３】
0005461249.tif 000004
【図４】
0005461249.tif 000005
【図５】
0005461249.tif 000006
【図６】
0005461249.tif 000007